(57)【要約】  オイルチャンバーを有するシリンダーと、前記オイルチャンバーに収容されて、密閉部材及び緩衝部材を貫通するロッドを介して往復移動するピストンと、前記オイルチャンバーに収容され、且つ、その前方部にガイドが取り付けられたバネと、を備える家具用の扉の閉衝撃緩衝装置において、前記ピストンのロッドに、前記シリンダーとの間に隙間を有し、且つ、その内壁面にオイル経路を有する弁が取り付けられると共に、前記弁の先端部に長手方向に沿って多数のオイル溝を有する突起が一体に形成される一方、前記突起の周面にオイルの圧縮方向に沿って摺動式で往復移動するチェック弁が取り付けられて、前記ピストンに外部荷重が加えられる場合、前記チェック弁が突起に沿って移動すると共に、前記オイルチャンバー内のオイルが前記突起とチェック弁との間に設けられたオイル溝を経由して前記弁のオイル経路と隙間を通過して、前記家具用の扉の閉衝撃力を吸収する構成となっている。【選択図】図２
2009530520.tif 000002
【特許請求の範囲】
【請求項１】
オイルチャンバー（１１）を有するシリンダー（１０）と、前記オイルチャンバー（１１）に収容されて、密閉部材（２１）及び緩衝部材（２２）を貫通するロッド（２３）を介して往復移動するピストン（２０）と、前記オイルチャンバー（１１）に収容され、且つ、その前方部にガイド（３１）が取り付けられたバネ（３０）と、を備える家具用の扉の閉衝撃緩衝装置において、
前記ピストン（２０）のロッド（２３）に、前記シリンダー（１０）との間に隙間（４１）を有し、且つ、その内壁面にオイル経路（４７）を有する弁（４０）が取り付けられると共に、前記弁（４０）の先端部に長手方向に沿って多数のオイル溝（５１）を有する突起（５０）が一体に形成される一方、前記突起（５０）の周面にオイルの圧縮方向に沿って摺動式で往復移動するチェック弁（６０）が取り付けられて、
前記ピストン（２０）に外部荷重が加えられる場合、前記チェック弁（６０）が突起（５０）に沿って移動すると共に、前記オイルチャンバー（１１）内のオイルが前記突起（５０）とチェック弁（６０）との間に設けられたオイル溝（５１）を経由して前記弁（４０）のオイル経路（４７）と隙間（４１）を通過して、前記家具用の扉の閉衝撃力を吸収することを特徴とする家具用の扉の閉衝撃緩衝装置。
【請求項２】
オイルチャンバー（１１）を有するシリンダー（１０）と、前記オイルチャンバー（１１）に収容されて、密閉部材（２１）及び緩衝部材（２２）を貫通するロッド（２３）を介して往復移動するピストン（２０）と、前記オイルチャンバー（１１）に収容され、且つ、その前方部にガイド（３１）が取り付けられたバネ（３０）と、を備える家具用の扉の閉衝撃緩衝装置において、
前記ピストン（２０）のロッド（２３）に、前記シリンダー（１０）との間に隙間（４１）を有し、且つ、その内壁面にオイル経路（４７）を有する弁（４０）が取り付けられると共に、前記弁（４０）の先端部に長手方向に沿って多数のオイル溝（５１）を有する突起（５０）が一体に形成される一方、前記突起（５０）の周面にオイルの圧縮方向に沿って摺動式で往復移動するチェック弁（６０）と補助弁（７０）が並設されて、
前記ピストン（２０）に外部荷重が加えられる場合、前記チェック弁（６０）と補助弁（７０）が突起（５０）に沿って移動すると共に、前記オイルチャンバー（１１）内のオイルが前記突起（５０）とチェック弁（６０）と補助弁（７０）との間に設けられたオイル溝（５１）を経由して前記弁（４０）のオイル経路（４７）と隙間（４１）を通過して前記家具用の扉の閉衝撃力を吸収することを特徴とする家具用の扉の閉衝撃緩衝装置。
【請求項３】
オイルチャンバー（１１）を有するシリンダー（１０）と、前記オイルチャンバー（１１）に収容されて、密閉部材（２１）及び緩衝部材（２２）を貫通するロッド（２３）を介して往復移動するピストン（２０）と、前記オイルチャンバー（１１）に収容され、且つ、その前方部にガイド（３１）が取り付けられたバネ（３０）と、を備える家具用の扉の閉衝撃緩衝装置において
前記ピストン（２０）のロッド（２３）に、前記シリンダー（１０）との間に隙間（４１）を有し、且つ、その内壁面にオイル経路（４７）を有する弁（４０）が取り付けられると共に、前記弁（４０）の先端部に長手方向に沿って多数のオイル溝（５１）を有する突起（５０）が一体に形成される一方、前記突起（５０）の周面にオイルの圧縮方向に沿って摺動式で往復移動する１対のチェック弁（６０）を介して１またはそれ以上の補助弁（７０）が取り付けられて、
前記ピストン（２０）に外部荷重が加えられる場合、前記チェック弁（６０）と補助弁（７０）が突起（５０）に沿って移動すると共に、前記オイルチャンバー（１１）内のオイルが前記突起（５０）とチェック弁（６０）と補助弁（７０）との間に設けられたオイル溝（５１）を経由して前記弁（４０）のオイル経路（４７）と隙間（４１）を通過して、前記家具用の扉の閉衝撃力を吸収することを特徴とする家具用の扉の閉衝撃緩衝装置。
【発明の詳細な説明】
【技術分野】
【０００１】
本発明は家具や流し台などの扉が開閉される経路に設けられる扉緩衝装置に係り、特に、扉緩衝装置において二重のオイル通路を形成して扉の閉過程において発生する騒音を遮断することはもとより、家具の寿命を延長可能にした家具用の扉の閉衝撃緩衝装置に関する。
【背景技術】
【０００２】
一般に、流し台やタンスなどの家具には、ヒンジ点に沿って開閉される単一または１対の扉が取り付けられているが、この家具の内壁や前面には扉の閉過程において発生する衝撃力を吸収して騒音を最小化させ、且つ、寿命を延長するための流体ダンパーが取り付けられている。
【０００３】
すなわち、図１に示すように、特許文献１によれば、流体ダンパー１００は、オイルチャンバー１１５を有するシリンダー１１０と、前記オイルチャンバー１１５に収容され、且つ、その先端部にブラケット１２５が取り付けられたピストン１２０と、前記オイルチャンバー１１５に収容され、且つ、その前方部にガイド１３５が取り付けられたバネ１３０と、前記押圧ブラケット１２５と前記ガイド１３５を連結し、且つ、その周面に多数のリングディスク１４５が取り付けられた連結棒１４０と、を備える。
【０００４】
このため、流体ダンパー１００に外力が加えられる場合、前記ピストン１２０に加えられる外力に見合う分だけ前記リングディスク１４５が順次にブラケット１２５に押し付けられるため、前記シリンダー１００のオイルはリングディスク１４５のオイル孔とブラケット１２５の開放部１２５ａを介して移動しながら緩衝作用を行う。
【０００５】
逆に、流体ダンパー１００への外力が解放される場合、前記リングディスク１４５が自力により元の位置に戻ることにより、前記シリンダー１１０のオイルがブラケット１２５の開放部１２５ａを介してリングディスク１４５の外周に乗って移動するため、前記リングディスク１４５がオイルの移動経路を密閉して遮断するのである。
【０００６】
ところが、流体ダンパー１００への外力が解放されて前記リングディスク１４５が自力により元の位置に戻る過程においては、前記リングディスク１４５の外周、すなわち、シリンダー１１０とブラケット１２５との間の隙間を介してしかオイルが移動できない状態であるため、前記ピストン１２０の復元力と緩衝力を高めるためにバネ１３０の弾性力を大きくすることを余儀なくされる。
【０００７】
これにより、流体ダンパー１００におけるバネ１３０の弾性力を大きくすれば、例えば、扉が大型または重量である場合には使用可能であるものの、扉が小型または軽量である場合にはバネ１３０の復元力が強く働くため、扉が一定の間隔をあけて閉じられていて、見栄えを損なってしまう。
【０００８】
さらに、流体ダンパー１００の欠点を解消するために、バネ１３０を低い弾性力のものから構成し、ピストン１２０の高速な復元のためにブラケット１２５に比べてシリンダー１１０を大きくしなければならないため、流体ダンパーに加えられる荷重を適切に吸収することができないという不都合がある。
【０００９】
一方、流体ダンパー１００として、ピストン１２０のブラケット１２５とバネ１３０のガイド１３５に緩衝バネを介装してピストンの作動力を高めた製品が提案されているが、上述した緩衝バネの製造コスト及び緩衝バネの組立コストが別途に追加されて製品コストが増大するという不都合があった。
【００１０】
【特許文献１】米国特許第６８０２４０８号明細書
【発明の開示】
【発明が解決しようとする課題】
【００１１】
本発明は上記事情に鑑みてなされたものであり、その目的は、二重のオイル通路を形成して扉の閉過程において発生する騒音を遮断すると共に、家具の寿命を延長できるようにした家具用の扉の閉衝撃緩衝装置を提供するところにある。
【課題を解決するための手段】
【００１２】
上記目的を達成するために、本発明は、オイルチャンバーを有するシリンダーと、前記オイルチャンバーに収容されて、密閉部材及び緩衝部材を貫通するロッドを介して往復移動するピストンと、前記オイルチャンバーに収容され、且つ、その前方部にガイドが取り付けられたバネと、を備える家具用の扉の閉衝撃緩衝装置において、前記ピストンのロッドに、前記シリンダーとの間に隙間を有し、且つ、その内壁面にオイル経路を有する弁が取り付けられると共に、前記弁の先端部に長手方向に沿って多数のオイル溝を有する突起が一体に形成される一方、前記突起の周面にオイルの圧縮方向に沿って摺動式で往復移動するチェック弁が取り付けられて、前記ピストンに外部荷重が加えられる場合、前記チェック弁が突起に沿って移動すると共に、前記オイルチャンバー内のオイルが前記突起とチェック弁との間に設けられたオイル溝を経由して前記弁のオイル経路と隙間を通過して、前記家具用の扉の閉衝撃力を吸収する構成となっている。
【発明の効果】
【００１３】
本発明による家具用の扉の閉衝撃緩衝装置によれば、家具用の扉の開閉経路に二重のオイル通路を有する扉緩衝装置を取り付けることにより、扉の閉過程において発生する衝突騒音が最小化されて静かな室内雰囲気が造成されるだけではなく、扉の閉過程における安定性が確保されて家具及び扉緩衝装置の寿命が延長される効果がある。
【００１４】
また、家具用の扉の開閉経路に１本のバネを有する扉緩衝装置を取り付けることにより、扉緩衝装置の構成部品が最小化されて製品コストが節減されるだけではなく、製品の信頼性が高まる効果がある。
【発明を実施するための最良の形態】
【００１５】
［実施形態１］
図２（ａ）及び図２（ｂ）は、本発明の一実施形態による扉緩衝装置を示す図であり、図５は、本発明による扉緩衝装置の突起を示す斜視図であり、図６は、本発明による扉緩衝装置の取付状態を示す斜視図である。
【００１６】
本発明の一実施形態による扉緩衝装置は、オイルチャンバー１１を有するシリンダー１０と、前記オイルチャンバー１１に収容されて、密閉部材２１と緩衝部材２２を貫通するロッド２３を介して往復移動するピストン２０と、前記オイルチャンバー１１に収容され、且つ、その前方部にガイド３１が取り付けられたバネ３０と、を備える家具用の扉の閉衝撃緩衝装置において、前記ピストン２０のロッド２３に前記シリンダー１０との間に隙間４１を有し、且つ、その内壁面にオイル経路４７を有する弁４０が取り付けられると共に、前記弁４０の先端部に長手方向に沿って多数のオイル溝５１を有する突起５０が一体に形成される一方、前記突起５０の周面にオイルの圧縮方向に沿って摺動式で往復移動するチェック弁６０が取り付けられて、前記オイルチャンバー１１に収容されたオイルが前記突起５０のオイル溝５１に沿って移動していて前記弁４０のオイル経路４７と前記隙間４１を通過しながら前記家具用の扉の閉過程において発生する外部荷重を吸収する構成である。
【００１７】
まず、この実施形態による扉緩衝装置１は、シリンダー１０と、このシリンダー１０に収容されるピストン２０と、バネ３０と、前記バネ３０の弾性力により往復移動するチェック弁６０と、を備えてなる。
【００１８】
ここで、シリンダー１０は、その一端部が閉状態を維持し、且つ、その他端部が開状態を維持して開口部を形成するものであって、その内部空間にオイルが収容されるオイルチャンバー１１が形成される。
【００１９】
また、ピストン２０は、シリンダー１０の開口部にＯリング２１ａを介して取り付けられ、且つ、その中心部に貫通孔が形成された密閉部材２１と、前記密閉部材２１と密着して設けられ、且つ、その中心部に貫通孔が形成された緩衝部材２２と、前記密閉部材２１と緩衝部材２２の貫通孔に沿って往復移動するロッド２３と、を備える。
【００２０】
また、バネ３０は、オイルチャンバー１１に長手方向に収容される通常の弾性体であって、その前方部に円板状のガイド３１が設けられる。
【００２１】
さらに、弁４０は、前記ロッド２３の先端部に取り付けられてロッドと共にオイルの圧縮方向に沿って移動するものであって、前記シリンダー１０の内径との間に隙間４１を有すると共に、その内壁面にオイル経路４７が形成されたボディ部４５と、このボディ部４５の前方側に一体に形成され、且つ、その周面に長手方向に沿って多数のオイル溝５１を有する突起５０と、を備える。
【００２２】
さらに、チェック弁６０は、前記突起５０の周面に取り付けられて圧縮方向に沿って往復移動するものであって、その材質は軽質プラスチックであることが好ましく、その中心部に前記オイル溝５１との間にオイル通過空間を有するそれぞれの貫通孔が形成される。
【００２３】
このため、扉緩衝装置１に外力が加えられる場合、前記ピストン２０に加えられる圧力に見合う分のガイド３１によりバネ３０が圧縮されるため、前記シリンダー１０内のオイルが前記突起５０とチェック弁６０のオイル溝５１を通って前記弁４０のオイル経路４７に沿って微量移動する。
【００２４】
これに対し、扉緩衝装置１への外力が解放される場合、前記バネ３０の弾性力によりガイド３１が元の位置に戻ると共に、前記シリンダー１０内のオイルが前記シリンダー１０と弁４０の隙間４１及び前記突起５０とチェック弁６０のオイル溝５１を介して戻って安定した状態となる。
【００２５】
これにより、扉緩衝装置１に外力が加えられる場合、前記突起５０のオイル溝５１と前記弁４０のオイル経路４７と隙間４１に沿ってオイルが移動するのに対し、扉緩衝装置への外力が解放される場合、前記弁４０の隙間４１と前記突起５０のオイル溝５１を介してオイルが移動する。
【００２６】
［実施形態２］
図３（ａ）及び図３（ｂ）は、本発明の他の実施形態による扉緩衝装置を示す図であり、図５は、本発明による扉緩衝装置の突起を示す斜視図であり、図６は、本発明による扉緩衝装置の取付状態を示す斜視図である。
【００２７】
本発明の他の実施形態による扉緩衝装置は、オイルチャンバー１１を有するシリンダー１０と、前記オイルチャンバー１１に収容されて、密閉部材２１と緩衝部材２２を貫通するロッド２３を介して往復移動するピストン２０と、前記オイルチャンバー１１に収容され、且つ、その前方部にガイド３１が取り付けられたバネ３０と、を備える家具用の扉の閉衝撃緩衝装置において、前記ピストン２０のロッド２３に、前記シリンダー１０との間に隙間４１を有し、且つ、その内壁面にオイル経路４７を有する弁４０が取り付けられると共に、前記弁４０の先端部に長手方向に沿って多数のオイル溝５１を有する突起５０が一体に形成される一方、前記突起５０の周面にオイルの圧縮方向に沿って摺動式で往復移動するチェック弁６０と補助弁７０が併設されて、前記オイルチャンバー１１に収容されているオイルが前記突起５０のオイル溝５１に沿って移動していて、前記弁４０のオイル経路４７と前記隙間４１を通過しながら前記家具用の扉の閉過程において発生する外部荷重を吸収する構成となっている。
【００２８】
まず、この実施形態による扉緩衝装置１は、シリンダー１０と、このシリンダー１０に収容されるピストン２０と、バネ３０と、前記バネ３０の弾性力により往復移動するチェック弁６０及び補助弁７０を備える。
【００２９】
ここで、シリンダー１０は、その一端部が閉状態を維持し、且つ、その他端部が開状態を維持して開口部を形成するものであって、その内部空間にオイルが収容されるオイルチャンバー１１が形成される。
【００３０】
そして、ピストン２０は、シリンダー１０の開口部にＯリング２１ａを介して取り付けられ、且つ、その中心部に貫通孔が形成された密閉部材２１と、前記密閉部材２１と密着して設けられ、且つ、その中心部に貫通孔が形成された緩衝部材２２と、前記密閉部材２１と緩衝部材２２の貫通孔に沿って往復移動するロッド２３と、を備える。
【００３１】
さらに、バネ３０は、オイルチャンバー１１に長手方向に収容される通常の弾性体であって、その前方部に円板状のガイド３１が設けられる。
【００３２】
さらに、弁４０は、前記ロッド２３の先端部に取り付けられてロッドと共にオイルの圧縮方向に沿って移動するものであって、前記シリンダー１０の内径との間に隙間４１を有すると共に、その内壁面にオイル経路４７が形成されたボディ部４５と、このボディ部４５に一体に形成され、且つ、その周面に長手方向に沿って多数のオイル溝５１を有する突起５０と、を備える。
【００３３】
さらに、チェック弁６０は、前記突起５０の周面に取り付けられて圧縮方向に沿って往復移動するものであって、その材質は軽質プラスチックであることが好ましく、その中心部に前記オイル溝５１との間にオイル通過空間を有する貫通孔が形成される。
【００３４】
さらに、補助弁７０は、前記突起５０の周面に取り付けられて前記チェック弁６０と共に往復移動するものであって、その材質は軟質プラスチックであることが好ましく、その中心部に前記オイル溝５１との間にオイル通過空間を有する貫通孔が形成される。
【００３５】
このため、扉緩衝装置１に外力が加えられる場合、前記ピストン２０に加えられる圧力に見合う分、ガイド３１によりバネ３０が圧縮されるため、前記シリンダー１０内のオイルが前記突起５０とチェック／補助弁６０、７０のオイル溝５１を通って前記弁４０のオイル経路４７に沿って微量移動する。
【００３６】
これに対し、扉緩衝装置への外力が解放される場合、前記バネ３０の弾性力によりガイド３１が元の位置に戻り、これと共に、前記シリンダー１０内のオイルが前記シリンダー１０と弁４０の隙間４１及び前記突起５０とチェック／補助弁６０、７０のオイル溝５１を介して戻って安定状態となる。
【００３７】
これにより、扉緩衝装置に外力が加えられる場合、前記突起５０のオイル溝５１と前記弁４０のオイル経路４７と隙間４１に沿ってオイルが移動するのに対し、扉緩衝装置への外力が解放される場合、前記弁４０の隙間４１と前記突起５０のオイル溝５１を介してオイルが移動する。
【００３８】
［実施形態３］
図４（ａ）及び図４（ｂ）は、本発明のさらに他の実施形態による扉緩衝装置を示す図であり、図５は本発明による扉緩衝装置の突起を示す斜視図であり、図６は本発明による扉緩衝装置の取付状態を示す斜視図である。
【００３９】
本発明のさらに他の実施形態による扉緩衝装置は、オイルチャンバー１１を有するシリンダー１０と、前記オイルチャンバー１１に収容されて、密閉部材２１と緩衝部材２２を貫通するロッド２３を介して往復移動するピストン２０と、前記オイルチャンバー１１に収容され、且つ、その前方部にガイド３１が取り付けられたバネ３０と、を備える家具用の扉の閉衝撃緩衝装置において、前記ピストン２０のロッド２３に前記シリンダー１０との間に隙間４１を有し、且つ、その内壁面にオイル経路４７を有する弁４０が取り付けられると共に、前記弁４０の先端部に長手方向に沿って多数のオイル溝５１を有する突起５０が一体に形成される一方、前記突起５０の周面にオイルの圧縮方向に沿って摺動式で往復移動する一対のチェック弁６０を介して１またはそれ以上の補助弁７０が取り付けられて、前記オイルチャンバー１１に収容されているオイルが前記突起５０のオイル溝５１に沿って移動していて、前記弁４０のオイル経路４７と前記隙間４１を通過しながら前記家具用の扉の閉過程において発生する外部荷重を吸収する構成となっている。
【００４０】
まず、この実施形態による扉緩衝装置１は、シリンダー１０と、このシリンダー１０に収容されるピストン２０と、バネ３０と、前記バネ３０の弾性力により往復移動する一対のチェック弁６０と、補助弁７０と、を備える。
【００４１】
ここで、シリンダー１０は、その一端部が閉状態を維持し、且つ、その他端部が開状態を維持して開口部を形成するものであって、その内部空間にオイルが収容されるオイルチャンバー１１が形成される。
【００４２】
また、ピストン２０は、シリンダー１０の開口部にＯリング２１ａを介して取り付けられ、且つ、その中心部に貫通孔が形成された密閉部材２１と、前記密閉部材２１と密着して設けられ、且つ、その中心部に貫通孔が形成された緩衝部材２２と、前記密閉部材２１と緩衝部材２２の貫通孔に沿って往復移動するロッド２３と、を備える。
【００４３】
さらに、バネ３０は、オイルチャンバー１１に長手方向に収容される通常の弾性体であって、その前方部に円板状のガイド３１が設けられる。
【００４４】
さらに、弁４０は、前記ロッド２３の先端部に取り付けられてロッドと共にオイルの圧縮方向に沿って往復移動するものであって、前記シリンダー１０の内径との間に隙間４１を有し、且つ、その内壁面にオイル経路４７が形成されたボディ部４５と、このボディ部４５に一体に形成され、且つ、その周面に長手方向に沿って多数のオイル溝５１を有する突起５０と、を備える。
【００４５】
さらに、チェック弁６０は、前記突起５０の周面に取り付けられて圧縮方向に沿って往復移動するものであって、突起５０の周面に一定の間隔をあけて少なくとも一対を設けることが好ましく、その材質は軽質プラスチックであることが好ましく、その中心部に前記オイル溝５１との間にオイル通過空間を有するそれぞれの貫通孔が形成される。
【００４６】
さらに、補助弁７０は、前記突起５０の周面に取り付けられて前記チェック弁６０と共に往復移動するものであって、その材質は軟質プラスチックであることが好ましく、その中心部に前記オイル溝５１との間にオイル通過空間を有する貫通孔が形成される。
【００４７】
このとき、チェック弁６０の間に補助弁７０を取り付けて緩衝作用による効率性を極大化することが好ましい。
【００４８】
もちろん、チェック弁６０と補助弁７０をそれぞれ一対ずつ設けて互いに順次に配置してもよいことは言うまでもない。
【００４９】
このため、扉緩衝装置に外力が加えられる場合、前記ピストン２０に加えられる圧力に見合う分、ガイド３１によりバネ３０が圧縮されるため、前記シリンダー１０内のオイルが前記突起５０とチェック／補助弁６０、７０のオイル溝５１を通って前記弁４０のオイル経路４７に沿って微量移動する。
【００５０】
これに対し、扉緩衝装置への外力が解放される場合、前記バネ３０の弾性力によりガイド３１が元の位置に戻り、これと共に、前記シリンダー１０内のオイルが前記シリンダー１０と弁４０の隙間４１及び前記突起５０とチェック／補助弁６０、７０のオイル溝５１を介して戻って安定した状態となる。
【００５１】
これにより、扉緩衝装置に外力が加えられる場合、前記突起５０のオイル溝５１と前記弁４０のオイル経路４７と隙間４１に沿って微量のオイルが移動するのに対し、扉緩衝装置への外力が解放される場合、前記弁４０の隙間４１と前記突起５０のオイル溝５１を介してオイルが移動する。
【図面の簡単な説明】
【００５２】
【図１】従来の技術による扉緩衝装置を示す作動状態図である。
【図２】（ａ）及び（ｂ）は本発明の一実施形態による扉緩衝装置を示す図である。
【図３】（ａ）及び（ｂ）は本発明の他の実施形態による扉緩衝装置を示す図である。
【図４】（ａ）及び（ｂ）は本発明のさらに他の実施形態による扉緩衝装置を示す図である。
【図５】本発明による扉緩衝装置の突起を示す斜視図である。
【図６】本発明による扉緩衝装置の取付状態を示す斜視図である。
【符号の説明】
【００５３】
１０  シリンダー、１１  オイルチャンバー、２０  ピストン、２３  ロッド、３０  バネ、３１  ガイド、４０  弁、４７  オイル経路、５０  突起、５１  オイル溝、６０  チェック弁、７０  補助弁。
【図１】
2009530520.tif 000003
【図２（ａ）】
2009530520.tif 000004
【図２（ｂ）】
2009530520.tif 000005
【図３（ａ）】
2009530520.tif 000006
【図３（ｂ）】
2009530520.tif 000007
【図４（ａ）】
2009530520.tif 000008
【図４（ｂ）】
2009530520.tif 000009
【図５】
2009530520.tif 000010
【図６】
2009530520.tif 000011
【国際調査報告】
2009530520.tif 000012
2009530520.tif 000013